(57)【特許請求の範囲】
【請求項１】
左側の縦壁部材と右側の縦壁部材との間に収納空間が形成され、
さらに、前記左右の縦壁部材の間に配設された中間底板部材によって、前記収納空間が上側空間と下側空間とに分割形成され、
前記左右の縦壁部材の下部に延設された脚部材によって、前記下側空間が形成されるように構成された段ボール製の梱包材であって、
前記梱包材を展開した状態においては、
矩形の基本形状とされるとともに、
前記矩形の左端縁から所定幅の位置に、前記左側の縦壁部材を形成するために、前記左端縁と並行な第１の谷折り部が形成され、
前記矩形の右端縁から所定幅の位置に、前記右側の縦壁部材を形成するために、前記右端縁と並行な第２の谷折り部が形成され、
前記第１の谷折り部と第２の谷折り部との間の段ボール材によって中間底板部材が形成され、
前記第１の谷折り部の一部に、前記左側の縦壁部材側から前記中間底板部材側に凸状の第１の切り込み部を形成することによって、前記第１の谷折り部で谷折りしたときに、前記第１の切り込み部によって前記左側の縦壁部材の下部に第１の脚部材が延設されるように構成され、
前記第２の谷折り部の一部に、前記右側の縦壁部材側から前記中間底板部材側に凸状の第２の切り込み部を形成することによって、前記第２の谷折り部で谷折りしたときに、前記右側の縦壁部材の下部に第２の脚部材が延設されるように構成されており、
さらに、前記左端縁と前記第１の谷折り部とを同じ方向に延長することによって、前記左側の縦壁部材が延設され、
前記延長された第１の谷折り部から前記右側の縦壁部材側に向かって、前記段ボール材による延長部分が形成され、
前記延長部分には、
前記第１の谷折り部の延長部分に平行な第３の谷折り部、及び、少なくともさらに１本の谷折り部が形成されて、
前記延長部分の右端の平板領域が縦壁補助部材とされるとともに、該縦壁補助部材の右端には脚補助部材がさらに延設され、
前記第１の谷折り部の延長部分の一部に、前記延設された左側の縦壁部材側から前記延長部分の右端側に凸状の第３の切り込み部を形成することによって、前記第１の谷折り部の延長部分で谷折りしたときに、前記延設された左側の縦壁部材の下部に第３の脚部材が延設されるように構成されており、
前記梱包材を組み立てた状態においては、
前記第１の谷折り部が谷折りされて前記左側の縦壁部材を形成するとともに、前記左側の縦壁部材の下側には第１の脚部材が形成され、
前記第２の谷折り部が谷折りされて前記右側の縦壁部材を形成するとともに、前記右側の縦壁部材の下側には第２の脚部材が形成され、
前記第１の谷折り部と第２の谷折り部との間の中間底板部材によって上側空間と下側空間とが形成され、
さらに、
前記延長部分の少なくとも３本の谷折り部が谷折りされることによって、前記縦壁補助部材は、前記左側の縦壁部材に沿わされるとともに、前記谷折りされた延長部分によって筒状の緩衝空間が形成され、
前記脚補助部材が前記第３の脚部材に沿わされることによって、前記第３の脚部材を補強するように構成されていることを特徴とする梱包材。
【請求項２】
左側の縦壁部材と右側の縦壁部材との間に収納空間が形成され、
さらに、前記左右の縦壁部材の間に配設された中間底板部材によって、前記収納空間が上側空間と下側空間とに分割形成され、
前記左右の縦壁部材の下部に延設された脚部材によって、前記下側空間が形成されるように構成された段ボール製の梱包材であって、
前記梱包材を展開した状態においては、
矩形の基本形状とされるとともに、
前記矩形の左端縁から所定幅の位置に、前記左側の縦壁部材を形成するために、前記左端縁と並行な第１の谷折り部が形成され、
前記矩形の右端縁から所定幅の位置に、前記右側の縦壁部材を形成するために、前記右端縁と並行な第２の谷折り部が形成され、
前記第１の谷折り部と第２の谷折り部との間の段ボール材によって中間底板部材が形成され、
前記第１の谷折り部の一部に、前記左側の縦壁部材側から前記中間底板部材側に凸状の第１の切り込み部を形成することによって、前記第１の谷折り部で谷折りしたときに、前記第１の切り込み部によって前記左側の縦壁部材の下部に第１の脚部材が延設されるように構成され、
前記第２の谷折り部の一部に、前記右側の縦壁部材側から前記中間底板部材側に凸状の第２の切り込み部を形成することによって、前記第２の谷折り部で谷折りしたときに、前記右側の縦壁部材の下部に第２の脚部材が延設されるように構成されており、
さらに、前記右端縁と前記第２の谷折り部とを同じ方向に延長することによって、前記右側の縦壁部材が延設され、
前記延長された第２の谷折り部から前記左側の縦壁部材側に向かって、前記段ボール材による延長部分が形成され、
前記延長部分には、
前記第２の谷折り部の延長部分に平行な第３の谷折り部、及び、少なくともさらに１本の谷折り部が形成されて、
前記延長部分の左端の平板領域が縦壁補助部材とされるとともに、該縦壁補助部材の左端には脚補助部材がさらに延設され、
前記第２の谷折り部の延長部分の一部に、前記延設された右側の縦壁部材側から前記延長部分の左端側に凸状の第３の切り込み部を形成することによって、前記第２の谷折り部の延長部分で谷折りしたときに、前記延設された右側の縦壁部材の下部に第３の脚部材が延設されるように構成されており、
前記梱包材を組み立てた状態においては、
前記第１の谷折り部が谷折りされて前記左側の縦壁部材を形成するとともに、前記左側の縦壁部材の下側には第１の脚部材が形成され、
前記第２の谷折り部が谷折りされて前記右側の縦壁部材を形成するとともに、前記右側の縦壁部材の下側には第２の脚部材が形成され、
前記第１の谷折り部と第２の谷折り部との間の中間底板部材によって上側空間と下側空間とが形成され、
さらに、
前記延長部分の少なくとも３本の谷折り部が谷折りされることによって、前記縦壁補助部材は、前記右側の縦壁部材に沿わされるとともに、前記谷折りされた延長部分によって筒状の緩衝空間が形成され、
前記脚補助部材が前記第３の脚部材に沿わされることによって、前記第３の脚部材を補強するように構成されていることを特徴とする梱包材。
【請求項３】
第３の脚部材と、脚補助部材の幅をほぼ同じ幅として、
前記凸状の切り込み部から第３の脚部材を抜いた後に形成される孔に、前記脚補助部材を差し込んで係止されるように構成したことを特徴とする請求項１、２の何れか１項に記載の梱包材。
【請求項４】
前記脚補助部材の基部に僅かに拡幅して凸部を形成したことを特徴とする請求項３に記載の梱包材。
【発明の詳細な説明】
【技術分野】
【０００１】
本発明は、電子機器等を出荷するときなどに、その機器を収納して保護するための段ボール製の梱包材に関するものである。
【背景技術】
【０００２】
段ボール製の梱包箱としては、例えば、図１２、図１３、図１４に示したように、段ボールで形成した外箱１００の内部空間に、電子機器のような本体とその付属品を収納するように構成されている場合がある。
これらの収納品としては、例えば、基本形状がほぼ直方体状の本体Ｐ１と、電源アダプタのように直方体に近い形状で重い収納品Ｐ２と、アンテナなどの棒状の収納品Ｐ３と、コード類などのように可撓性が高く纏めやすい収納品Ｐ４と、取り扱い説明書などのように、厚みは若干薄いが広目の冊子状の収納品Ｐ５などである。
このような場合では、前記外箱１００の内部空間を複数の空間に仕切るために、段ボール製の梱包材を用いることがある。その場合、図１３に示したように、段ボール材を折り曲げたり、切ったり、接着したりして形成した第１の梱包材２００によって、内部空間を上側空間Ａと下側空間Ｂに分ける中間底板２１０と、上側空間Ａを左側空間Ａ１と右側空間Ａ２に分ける中間仕切板２２０とを形成し、
さらに、前記中間底板２１０と前記中間仕切板２２０を外箱の内寸より短くして上下に仕切られていない第４の空間Ｃを形成することができる。
このように複数の空間を形成することによって、前記下側空間Ｂには取り扱い説明書などの収納品Ｐ５、前記上側の左側空間Ａ１にはアンテナなどの棒状の収納品Ｐ３、前記上側の右側空間Ａ２には本体Ｐ１、第４の空間Ｃには電源アダプタなどの重い収納品Ｐ２を収納することができる。
【０００３】
そして、前記第４の空間Ｃに収納する収納品が電源アダプタのように比較的重く、また、左右に隙間が生じる場合には、図１４に示したように、第４の空間Ｃの左右に緩衝部材３００、４００を配設する必要がでてくる。
これらの緩衝部材３００、４００は段ボール材を折り曲げて箱状に形成することができ、前記緩衝部材３００を水平方向の筒状に形成することによって、前記左側空間と連通する空間とすることができ、前記緩衝部材４００を垂直方向の筒状に形成することによって、内部に前記収納品Ｐ４を収納することができる。
【０００４】
このような緩衝部材３００、４００を、段ボール材を筒状に折り曲げて形成する場合には、図１５に示したように、一方の緩衝部材３００は、前記梱包材２００と連続する段ボール材を延長して、その延長部分を複数の谷折り部で折り曲げて筒状に形成することができる。そして、図１６に示したように、他方の緩衝部材４００は、前記外箱１００の段ボール材と連続する延長部分を複数の谷折り部で折り曲げて筒状に形成することができる。
このようにして、一方の緩衝部材３００を形成した梱包材２００を、他方の緩衝部材４００を形成した外箱に入れることによって、図１３、図１４に示したような、複数の空間を形成することができるのである。
【０００５】
また、図１７に示したように、梱包材５００の壁部材５１０を二重構造として容易に組み立て得るように構成するとともに、壁部材５１０から下方に一体突出連設した立設片５２０を設けた梱包材が提案されている。（例えば、特許文献１参照）
【０００６】
【特許文献１】登録実用新案第３０５６８９３号公報
【発明の開示】
【発明が解決しようとする課題】
【０００７】
図１５、図１６に示したように、２つの緩衝部材３００、４００を、段ボール材を単に折り曲げて形成しただけでは、電源アダプタなどの収納品Ｐ２を、前記空間Ｃに収納しようとするときには、折り曲げられた段ボール材がその復元力で広がろうとするので、作業しにくいという問題がある。そこで、前記緩衝部材３００、４００を筒状に折り曲げた状態で接着固定するか、折り曲げた状態から広がらないように手で押さえながら、前記収納品を収納しなければならない。
しかし、段ボール材を折り曲げて接着固定することは、別途材料と手間がかかるので、作業性が悪いという問題がある。
また、手で押さえて作業するには、一方の手は電源アダプタなどの収納品Ｐ２を持っているので、空いている手は他方の片手しかなく、片手で２つの緩衝部材３００、４００を同時に押さえながら、他方の手で収納品を持って収納することは困難である。
そこで、一方の緩衝部材だけでも、接着しなくても、折り曲げられた状態で保持されるような構造が望まれていた。
【０００８】
また、特許文献１に記載された梱包材５００でも、段ボールを折り曲げた後に接着して組み立てるため、組み立て作業の手間がかかるという問題があった。また、立設片５２０が補強されていないため、底板下方と外箱との間に形成される緩衝空間を下側空間として積極的に活用できないという問題があった。
【０００９】
本発明は、接着剤を用いることなく、容易に組み立てることができるとともに、組み立てた状態で保持されやすい構造とし、さらに、複数の空間を確保できる梱包材の提供を目的としてなされたものである。
【課題を解決するための手段】
【００１０】
本発明にかかる請求項１の梱包材は、
左側の縦壁部材と右側の縦壁部材との間に収納空間が形成され、
さらに、前記左右の縦壁部材の間に配設された中間底板部材によって、前記収納空間が上側空間と下側空間とに分割形成され、
前記左右の縦壁部材の下部に延設された脚部材によって、前記下側空間が形成されるように構成された段ボール製の梱包材であって、
前記梱包材を展開した状態においては、
矩形の基本形状とされるとともに、
前記矩形の左端縁から所定幅の位置に、前記左側の縦壁部材を形成するために、前記左端縁と並行な第１の谷折り部が形成され、
前記矩形の右端縁から所定幅の位置に、前記右側の縦壁部材を形成するために、前記右端縁と並行な第２の谷折り部が形成され、
前記第１の谷折り部と第２の谷折り部との間の段ボール材によって中間底板部材が形成され、
前記第１の谷折り部の一部に、前記左側の縦壁部材側から前記中間底板部材側に凸状の第１の切り込み部を形成することによって、前記第１の谷折り部で谷折りしたときに、前記第１の切り込み部によって前記左側の縦壁部材の下部に第１の脚部材が延設されるように構成され、
前記第２の谷折り部の一部に、前記右側の縦壁部材側から前記中間底板部材側に凸状の第２の切り込み部を形成することによって、前記第２の谷折り部で谷折りしたときに、前記右側の縦壁部材の下部に第２の脚部材が延設されるように構成されており、
さらに、前記左端縁と前記第１の谷折り部とを同じ方向に延長することによって、前記左側の縦壁部材が延設され、
前記延長された第１の谷折り部から前記右側の縦壁部材側に向かって、前記段ボール材による延長部分が形成され、
前記延長部分には、
前記第１の谷折り部の延長部分に平行な第３の谷折り部、及び、少なくともさらに１本の谷折り部が形成されて、
前記延長部分の右端の平板領域が縦壁補助部材とされるとともに、該縦壁補助部材の右端には脚補助部材がさらに延設され、
前記第１の谷折り部の延長部分の一部に、前記延設された左側の縦壁部材側から前記延長部分の右端側に凸状の第３の切り込み部を形成することによって、前記第１の谷折り部の延長部分で谷折りしたときに、前記延設された左側の縦壁部材の下部に第３の脚部材が延設されるように構成されており、
前記梱包材を組み立てた状態においては、
前記第１の谷折り部が谷折りされて前記左側の縦壁部材を形成するとともに、前記左側の縦壁部材の下側には第１の脚部材が形成され、
前記第２の谷折り部が谷折りされて前記右側の縦壁部材を形成するとともに、前記右側の縦壁部材の下側には第２の脚部材が形成され、
前記第１の谷折り部と第２の谷折り部との間の中間底板部材によって上側空間と下側空間とが形成され、
さらに、
前記延長部分の少なくとも３本の谷折り部が谷折りされることによって、前記縦壁補助部材は、前記左側の縦壁部材に沿わされるとともに、前記谷折りされた延長部分によって筒状の緩衝空間が形成され、
前記脚補助部材が前記第３の脚部材に沿わされることによって、前記第３の脚部材を補強するように構成されている。（図５を参照。）
請求項２の梱包材は、
左側の縦壁部材と右側の縦壁部材との間に収納空間が形成され、
さらに、前記左右の縦壁部材の間に配設された中間底板部材によって、前記収納空間が上側空間と下側空間とに分割形成され、
前記左右の縦壁部材の下部に延設された脚部材によって、前記下側空間が形成されるように構成された段ボール製の梱包材であって、
前記梱包材を展開した状態においては、
矩形の基本形状とされるとともに、
前記矩形の左端縁から所定幅の位置に、前記左側の縦壁部材を形成するために、前記左端縁と並行な第１の谷折り部が形成され、
前記矩形の右端縁から所定幅の位置に、前記右側の縦壁部材を形成するために、前記右端縁と並行な第２の谷折り部が形成され、
前記第１の谷折り部と第２の谷折り部との間の段ボール材によって中間底板部材が形成され、
前記第１の谷折り部の一部に、前記左側の縦壁部材側から前記中間底板部材側に凸状の第１の切り込み部を形成することによって、前記第１の谷折り部で谷折りしたときに、前記第１の切り込み部によって前記左側の縦壁部材の下部に第１の脚部材が延設されるように構成され、
前記第２の谷折り部の一部に、前記右側の縦壁部材側から前記中間底板部材側に凸状の第２の切り込み部を形成することによって、前記第２の谷折り部で谷折りしたときに、前記右側の縦壁部材の下部に第２の脚部材が延設されるように構成されており、
さらに、前記右端縁と前記第２の谷折り部とを同じ方向に延長することによって、前記右側の縦壁部材が延設され、
前記延長された第２の谷折り部から前記左側の縦壁部材側に向かって、前記段ボール材による延長部分が形成され、
前記延長部分には、
前記第２の谷折り部の延長部分に平行な第３の谷折り部、及び、少なくともさらに１本の谷折り部が形成されて、
前記延長部分の左端の平板領域が縦壁補助部材とされるとともに、該縦壁補助部材の左端には脚補助部材がさらに延設され、
前記第２の谷折り部の延長部分の一部に、前記延設された右側の縦壁部材側から前記延長部分の左端側に凸状の第３の切り込み部を形成することによって、前記第２の谷折り部の延長部分で谷折りしたときに、前記延設された右側の縦壁部材の下部に第３の脚部材が延設されるように構成されており、
前記梱包材を組み立てた状態においては、
前記第１の谷折り部が谷折りされて前記左側の縦壁部材を形成するとともに、前記左側の縦壁部材の下側には第１の脚部材が形成され、
前記第２の谷折り部が谷折りされて前記右側の縦壁部材を形成するとともに、前記右側の縦壁部材の下側には第２の脚部材が形成され、
前記第１の谷折り部と第２の谷折り部との間の中間底板部材によって上側空間と下側空間とが形成され、
さらに、
前記延長部分の少なくとも３本の谷折り部が谷折りされることによって、前記縦壁補助部材は、前記右側の縦壁部材に沿わされるとともに、前記谷折りされた延長部分によって筒状の緩衝空間が形成され、
前記脚補助部材が前記第３の脚部材に沿わされることによって、前記第３の脚部材を補強するように構成されている。（図１１を参照。）
請求項３の梱包材では、
第３の脚部材と、脚補助部材の幅をほぼ同じ幅として、
前記凸状の切り込み部から第３の脚部材を抜いた後に形成される孔に、前記脚補助部材を差し込んで係止されるように構成した。
請求項４の梱包材では、
前記脚補助部材の基部に僅かに拡幅して凸部を形成した。
【発明の効果】
【００１１】
本発明にかかる請求項１の梱包材では、
延長部分が谷折りされることによって、縦壁補助部材は左側の縦壁部材に沿わされるとともに、前記谷折りされた延長部分によって筒状の緩衝空間が形成されるので、安定した収納が可能となる。
また、前記延長部分に形成される脚補助部材が第３の脚部材を補強するので、安定した収納が可能となる。
さらに、このような効果の得られる梱包材は、接着することなく１枚の段ボール材から構成できるので、梱包材の製造の作業性がよく、リサイクルにも適したものとなる。
本発明にかかる請求項２の梱包材では、
延長部分が谷折りされることによって、縦壁補助部材は右側の縦壁部材に沿わされるので、右側の縦壁部材が補強されるとともに、上記同様の効果が得られる。
請求項３の梱包材では、
第２の脚部材と、脚補助部材の幅をほぼ同じ幅として、
前記凸状の切り込み部から第３の脚部材を抜いた後に形成される孔に、前記脚補助部材を差し込んで係止されるように構成することにより、前記筒状の緩衝空間を形成する延長部分は勝手に展開しないように構成したので、収納品を収納する作業の効率が良い。
請求項４の梱包材では、
前記脚補助部材の基部に僅かに拡幅して凸部を形成したので、前記脚補助部材が、第３の脚部材を抜いた後に形成される孔に基部まで差し込まれたときに、基部に形成された前記凸部が、前記孔の縁に係止されて、前記筒状の緩衝空間を形成する延長部分が勝手に展開することは防止される。
【発明を実施するための最良の形態】
【００１２】
以下に、本発明にかかる梱包材を、その実施の形態を示した図面に基づいて詳細に説明する。
本発明にかかる梱包材は、図１６に示したような段ボール製の外箱１００に入れて使用するものであり、その展開状態の平面図を図１に示して説明する。
図１において、ほぼ矩形の平面形状の段ボール材１を実線で示したように打ち抜き形成する。図中、左端縁１１の長さａは、前記外箱１００の内法の縦方向の長さａ１とほぼ等しくなっている。
【００１３】
前記左端縁１１から幅ｂの位置に前記左端縁１１と平行な第１の谷折り部１２が形成され、前記左端縁１１と前記第１の谷折り部１２とで挟まれた短冊状の第１の領域Ｒ１が形成されている。
前記第１の谷折り部１２から幅ｃの位置に前記第１の谷折り部１２と平行な中間谷折り部１３が形成され、前記第１の谷折り部１２と前記中間谷折り部１３とで挟まれた短冊状の第２の領域Ｒ２が形成されている。
前記中間谷折り部１３から幅ｂの位置に前記第２の谷折り部１３と平行な中間山折り部１４が形成され、前記中間谷折り部１３と前記中間山折り部１４とで挟まれた短冊状の第３の領域Ｒ３が形成されている。
前記中間山折り部１４から幅ｂの位置に前記中間山折り部１４と平行な中間谷折り部１５が形成され、前記中間山折り部１４と前記中間谷折り部１５とで挟まれた短冊状の第４の領域Ｒ４が形成されている。
前記中間谷折り部１５から幅ｄの位置に前記第１の谷折り部１２及び前記中間谷折り部１５と平行な第２の谷折り部１６が形成され、前記中間谷折り部１５と前記第２の谷折り部１６とで挟まれた第５の領域Ｒ５が形成されている。
前記第２の谷折り部１６から幅ｂの位置には、前記第２の谷折り部１６と平行な右端縁１７が形成され、前記第２の谷折り部１６と前記右端縁１７とで挟まれた短冊状の第６の領域Ｒ６が形成されている。
【００１４】
前記段ボール材１の左縦辺は前記左端縁１１で構成され、右縦辺は前記右端縁１７で構成され、上横辺は上縁２１で構成され、下横辺は下縁２３で構成され、中間の横辺は中間縁２２で構成されている。
【００１５】
（延長部分の説明）
前記左端縁１１、第１の谷折り部１２、及び、中間谷折り部１３の長さａは、前記中間山折り部１４、中間谷折り部１５、第２の谷折り部１６、及び、右端縁１７の長さｅより長く、図上の下方に延長され、それぞれ左端縁１１の延長部分、第１の谷折り部１２の延長部分、及び、中間谷折り部１３の延長部分とされている。
第１と第２の領域Ｒ１，Ｒ２は、前記第３〜第６の領域Ｒ３〜Ｒ６に比較して、図上の下方に延長され、第１の領域Ｒ１は第１の延長領域Ｒ７と連続し、第２の領域Ｒ２は第２の延長領域Ｒ８と連続して延設された状態となっている。
【００１６】
前記第２の延長領域Ｒ８の右辺となる前記中間谷折り部１３の延長部分は、第３の谷折り部として形成され、前記中間谷折り部１３の延長部分から幅ｂの位置には、前記中間谷折り部１３の延長部分と平行な延長部分中間谷折り部１８が形成され、前記中間谷折り部１３の延長部分と前記延長部分中間谷折り部１８とで挟まれた短冊状の第３の延長領域Ｒ９が形成されている。
前記延長部分中間谷折り部１８から幅ｃの位置には、前記延長部分中間谷折り部１８と平行な別の延長部分中間谷折り部１９が形成され、前記延長部分中間谷折り部１８と前記別の延長部分中間谷折り部１９とで挟まれた短冊状の第４の延長領域Ｒ１０が形成されている。
前記別の延長部分中間谷折り部１９から幅ｂの位置には、前記別の延長部分中間谷折り部１９と平行な延長部分右端縁２０が形成され、前記別の延長部分中間谷折り部１９と前記延長部分右端縁２０とで挟まれた短冊状の第５の延長領域Ｒ１１が、右端の平板領域として形成されている。
このようにして、第１の延長領域Ｒ７〜第５の延長領域Ｒ１１によって、延長部分Ｅが形成されている。
【００１７】
（左側の第１の脚部材）
前記第１の谷折り部１２の一部に、前記第１の領域Ｒ１から右側の第２の領域Ｒ２側にせりだした凸状の第１の切り込み部Ｋ１が形成されている。
この第１の切り込み部Ｋ１は、第１の領域Ｒ１の一部が右側の第２の領域Ｒ２側に舌状に延設されたものであり、凸状の第１の切り込み部Ｋ１は段ボール材が表から裏まで切り抜かれており、この第１の切り込み部Ｋ１に対応する前記第１の谷折り部１２の部分は谷折り部とはならずに、折り曲げられないように設定されている。
したがって、前記第１の谷折り部１２で、第１の領域Ｒ１と第２の領域Ｒ２とを谷折りすると、前記第１の切り込み部Ｋ１は谷折りされることなく、前記第１の領域Ｒ１と一体のままで第２の領域Ｒ２から分離されて、第２の領域Ｒ２と垂直な状態になることができる。
即ち、後述するように、前記第１の領域Ｒ１が、梱包材１０の左側の縦壁部材となるとき、前記第１の切り込み部Ｋ１は、前記左側の縦壁部材の下部に延設された第１の脚部材となるように構成されているのである。
【００１８】
（右側の第２の脚部材）
前記第２の谷折り部１６の一部に、前記第６の領域Ｒ６から左側の第５の領域Ｒ５側にせりだした凸状の第２の切り込み部Ｋ２が形成されている。
この第２の切り込み部Ｋ２は、第６の領域Ｒ６の一部が左側の第５の領域Ｒ５側に舌状に延設されたものであり、凸状の第２の切り込み部Ｋ２は段ボール材が表から裏まで切り抜かれており、この第２の切り込み部Ｋ２に対応する前記第２の谷折り部１６の部分は谷折り部とはならずに、折り曲げられないように設定されている。
したがって、前記第２の谷折り部１６で、第５の領域Ｒ５と第６の領域Ｒ６とを谷折りすると、前記第２の切り込み部Ｋ２は谷折りされることなく、前記第６の領域Ｒ６と一体のままで第５の領域Ｒ５から分離されて、第５の領域Ｒ５と垂直な状態になることができる。
即ち、後述するように、前記第６の領域Ｒ６が、梱包材１０の右側の縦壁部材となるとき、前記第２の切り込み部Ｋ２は、前記右側の縦壁部材の下部に延設された第２の脚部材となるように構成されているのである。
【００１９】
（延長部分の第３の脚部材）
前記第１の延長領域Ｒ７と第２の延長領域Ｒ８の間の前記第１の谷折り部１２の延長部分の一部に、前記第１の延長領域Ｒ７側から前記第２の延長領域Ｒ８側にせりだした凸状の第３の切り込み部Ｋ３が形成されている。
この第３の切り込み部Ｋ３は、前記第１の延長領域Ｒ７の一部が右側の前記第２の延長領域Ｒ８側に舌状に延設されたものであり、凸状の第３の切り込み部Ｋ３は段ボール材が表から裏まで切り抜かれており、この第３の切り込み部Ｋ３に対応する前記第１の谷折り部１２の延長部分は谷折り部とはならずに、折り曲げられないように設定されている。
したがって、前記第１の谷折り部１２の延長部分で、第１の延長領域Ｒ７と第２の延長領域Ｒ８とを谷折りすると、前記第３の切り込み部Ｋ３は谷折りされることなく、前記第１の延長領域Ｒ７と一体のままで前記第２の延長領域Ｒ８から分離されて、第２の延長領域Ｒ８と垂直な状態になることができる。
即ち、後述するように、前記第１の延長領域Ｒ７が前記第１の領域Ｒ１とともに、梱包材１０の左側の縦壁部材となるとき、前記第３の切り込み部Ｋ３は、前記左側の縦壁部材の下部に延設された第３の脚部材となるように構成されているのである。
【００２０】
（延長部分端縁の脚補助部材）
前記延長部分右端縁２０の一部に、前記第５の延長領域Ｒ１１側からさらに右側にせりだした凸状の舌片Ｋ４が形成されている。
この凸状の舌片Ｋ４は、前記第５の延長領域Ｒ１１の一部がさらに右側に舌状に延設されたものであり、この凸状の舌片Ｋ４と前記第５の延長領域Ｒ１１との間は谷折り部とも山折り部ともならずに、折り曲げられないように設定されている。
したがって、前記第１の谷折り部１２の延長部分、前記中間谷折り部１３の延長部分、及び、２本の前記延長部分中間谷折部１８、１９で、それぞれ直角に谷折りして、第１の延長領域Ｒ７〜第５の延長領域Ｒ１１の各平面部分が互いに直角になるように折り曲げると、前記第５の延長領域Ｒ１１は、前記第１の延長領域Ｒ７と並行になって重ねられて、第５の延長領域Ｒ１１は、第１の延長領域Ｒ７に重なることによって、縦壁補助部材となる。
また、第１の延長領域Ｒ７〜第５の延長領域Ｒ１１によって、後述するように、断面形状が四角形の筒状の緩衝部材３０（図６、図７参照。）が形成される。
【００２１】
（脚補助部材の大きさ・位置）
前記凸状の舌片Ｋ４の基部から前記下縁２３までの長さｆは、前記第３の切り込み部Ｋ３の基部から前記下縁２３までの長さとほぼ同じに設定され、
前記凸状の舌片Ｋ４の基部の幅ｇは、前記第３の切り込み部Ｋ３の基部の幅とほぼ同じに設定され、
前記凸状の舌片Ｋ４の基部から先端までの高さ（図上の横方向の長さ）ｈは、前記第３の切り込み部Ｋ３の基部から先端までの高さ（図上の横方向の長さ）とほぼ同じに設定されている。
【００２２】
したがって、後述するように、前記第１の延長領域Ｒ７が前記第１の領域Ｒ１とともに、梱包材１０の左側の縦壁部材となるとき、前記第５の延長領域Ｒ１１に形成された凸状の舌片Ｋ４は、同じ幅ｇの前記第３の切り込み部Ｋ３と並行になって重ねられ、第３の脚部材とその脚補助部材とになるように構成されているのである。
このようにして、重ねられた第３の脚部材とその脚補助部材は、ほぼ同じ幅ｇで、ほぼ同じ高さｈであるので、互いに補強し合う。
しかも、前記凸状の舌片Ｋ４の幅ｇが、前記第３の切り込み部Ｋ３の幅とほぼ同じであるので、第３の切り込み部Ｋ３の後に開いた孔に差し込まれた前記凸状の舌片Ｋ４は容易には抜けない。したがって、図５の梱包材１０を組み立てて、図６、７の外箱１００に入れて、収納品を収納するときに、図６、７に示した緩衝部材３０が勝手に展開してしまうことが防止できるので、作業性がよい。
このような効果をより確実に得るためには、図１０（ｄ）に示したように、前記凸状の舌片Ｋ４の基部に僅かに拡幅した係止用の凸部Ｋａを形成してもよい。さらに、前記凸部Ｋａの右側斜辺（前記凸状の舌片Ｋ４の先端に向かう斜辺）を緩やかな傾斜（延長部分右端縁２０となす角を鈍角）とし、前記凸部Ｋａの左側斜辺を急な傾斜（延長部分右端縁２０となす角を鋭角）とすることで、組み立て作業もさほど悪くならず、図６、７に示した緩衝部材３０が勝手に展開してしまうこともより確実に防止できる。
【００２３】
次に、図２〜図５を参照して、図１に示した段ボール材１を組み立てる手順を説明する。
図２、図３においては、図１に示した段ボール材１を、第１の谷折り部１２およびその延長部分で直角に近い状態まで谷折りし、中間谷折り部１３で直角に近い状態まで谷折りし、中間山折り部１４で１８０度に近い状態で山折りし、中間谷折り部１５で直角に近い状態まで谷折りし、第２の谷折り部１６で直角に近い状態まで谷折りした状態の梱包材１０（１）を示している。
延長部分においては、
中間谷折り部１３の延長部分では僅かに谷折りし、２本の延長部分中間谷折部１８、１９でも僅かに谷折りした状態を示している。
【００２４】
図４、図５においては、図２、図３の状態の梱包材１０（１）をさらに折り曲げ、第１の谷折り部１２およびその延長部分でほぼ直角に谷折りし、中間谷折り部１３でほぼ直角に谷折りし、中間山折り部１４でほぼ１８０度に山折りし、中間谷折り部１５でほぼ直角に谷折りし、第２の谷折り部１６でほぼ直角に谷折りした状態の梱包材１０を示している。
延長部分においては、
中間谷折り部１３の延長部分でもほぼ直角に谷折りし、２本の延長部分中間谷折１８、１９でもほぼ直角に谷折りして筒状に形成した状態を示している。このようにして折り曲げられた延長部分によって、緩衝部材３０が形成されている。
なお、以上の説明において、図２〜図５中の他の符号を付した部分については、その説明を省略している。
【００２５】
（外箱との組み合わせ）
図６、図７においては、図４、図５の状態に組み立てた梱包材１０（段ボール材１）を、図１６に示した状態に組み立てた外箱１００に入れて組み合わせた状態を示している。
図５に示した第２の領域Ｒ２と第５の領域Ｒ５とで、外箱１００の内部空間を上側の空間Ａと下側の空間Ｂとに分ける中間底板５１が形成され、
図５に示した第３の領域Ｒ３と第４の領域Ｒ４とが背中合わせに山折りされることによって、上側の空間Ａを左側空間Ａ１と右側空間Ａ２とに分ける中間仕切板５２が形成されている。
さらに、図１、図６に示されていることから分かるように、前記中間底板５１を形成する第５の領域Ｒ５の奥行き（長さ）ｅは、図１６に示した外箱１００の内法縦方向の長さａ１より短くなっているので、前記中間底板５１で上下に仕切られていない第４の空間Ｃが形成されている。
このように複数の空間Ａ１、Ａ２、Ｂ、Ｃが形成されているので、図１２〜図１４と同様に、前記下側空間Ｂには取り扱い説明書などの収納品Ｐ５、前記上側の左側空間Ａ１にはアンテナなどの棒状の収納品Ｐ３、前記上側の右側空間Ａ２には本体Ｐ１、第４の空間Ｃには電源アダプタなどの重い収納品Ｐ２を収納することができる。
【００２６】
さらに、図６、図７に示したように、前記第４の空間Ｃの左側には前記緩衝部材３０が配設され、右側には前記外箱１００の内側に形成された緩衝部材４００が配設されているので、電源アダプタのように比較的重い収納品の場合でも安定した状態で収納することができる。
さらにまた、図５に示した前記第１の領域Ｒ１及び第１の延長領域Ｒ７によって形成される左側の縦壁部材は、第５の延長領域Ｒ１１で形成される前記縦壁補助部材によって補強されているので、安定した梱包材となる。
また、図５に示した前記第３の切り込み部Ｋ３によって形成される第３の脚部材は、前記凸状の舌片Ｋ４によって形成される脚補助部材によって補強されているので、前記下側空間Ｂが安定して保持される。
【００２７】
図８、図９は、図６、図７のように組み立てた梱包材入りの外箱の蓋を僅かに閉じた状態を示したものである。
【００２８】
（段ボール材の左右を逆にした形態）
なお、図１に示した形態においては、展開状態の段ボール材１において、延長部分Ｅは左側の縦壁部材に連続させて延設したが、
図１０（ａ）に示した形態のように、展開状態の段ボール材１Ｂにおいて、延長部分Ｅ１を右側の縦壁部材に連続させて延設してもよい。
この場合には、図１１に示したように、図１０（ａ）の前記段ボール材１Ｂを組み立てた梱包材１０Ｂは、緩衝部材３０Ｂは、梱包材１０Ｂの右側に配設される。そして、当然ではあるが、前記梱包材１０Ｂを入れる外箱においては、外箱に連設される他方の緩衝部材は左側に配設されている。
図１０（ａ）の段ボール材１Ｂを組み立てる過程は、図１の段ボール材１を組み立てる場合と、左右が逆になること以外は同様であるので、その説明を省略する。
【００２９】
（断面形状が多角形の緩衝空間）
図１、図１０（ａ）の例においては、延長部分Ｅ，Ｅ１には、４本の谷折り部を設けて、断面形状が四角形の筒状の緩衝空間が形成される形態を説明したが、延長部分には、３本の谷折り部を設けて、断面形状が三角形の筒状の緩衝空間としても、５本以上の谷折り部を設けて、断面形状が五角形以上の多角形の筒状の緩衝部材としてもよい。
【００３０】
（山折り部を設けない場合）
図１の例においては、中間谷折り部１３、１５、及び中間山折り部１４を設けたが、設けない場合も可能である。
図１０（ｂ）に示した段ボール材１Ｃにおいては、図上の上側部分には、左側から、左端縁１１、第１の谷折り部１２、第２の谷折り部１６、右端縁１７が形成され、下側の延長部分Ｅ２には、左側から、左端縁１１の延長部分、第１の谷折り部１２の延長部分、第３の谷折り部１３、１本または２本以上の延長部分中間谷折り部１８．延長部分右端縁２０が形成されている。
さらに、前記第１の谷折り部１２から右側へ第１の切り込み部Ｋ１が形成され、前記第２の谷折り部１６から左側へ第２の切り込み部Ｋ２が形成され、前記第１の谷折り部１２の延長部分から右側へ第３の切り込み部Ｋ３が形成され、前記延長部分右端縁２０から右側へ脚補助部材Ｋ４が形成されている。
【００３１】
前記延長部分中間谷折り部が１本の場合には、延長部分Ｅ２を谷折りしたときには断面形状が三角形の緩衝部材が形成される。
図１０（ｃ）に示した段ボール材１Ｄにおいては、図上の上側部分には、左側から、左端縁１１、第１の谷折り部１２、第２の谷折り部１６、右端縁１７が形成され、下側の延長部分Ｅ３には、右側から、右端縁１７の延長部分、第２の谷折り部１６の延長部分、第３の谷折り部１３、１本または２本以上の延長部分中間谷折り部１８、延長部分左端縁２０が形成されている。
さらに、前記第１の谷折り部１２から右側へ第１の切り込み部Ｋ１が形成され、前記第２の谷折り部１６から左側へ第２の切り込み部Ｋ２が形成され、前記第２の谷折り部１６の延長部分から左側へ第３の切り込み部Ｋ３が形成され、前記延長部分左端縁２０から左側へ脚補助部材Ｋ４が形成されている。
なお、図１０（ｂ）、図１０（ｃ）における符号は、１Ｃ，１Ｄ，Ｅ２，Ｅ３以外は、図１に対応する部分には図１の符号と同じものを付した。
【実施例１】
【００３２】
実施例１では、図１のような展開状態の段ボール材１において、段ボールを構成する波形のライナー層の向きは、図上の左右方向の向きに設定されているので、左右の縦壁部材、第１〜第３の脚部材、及び脚補助部材の強度が充分に得られる。
【図面の簡単な説明】
【００３３】
【図１】本発明にかかる梱包材の実施の形態の展開状態の平面図である。
【図２】前記梱包材の組み立て途中を示す斜視図である。
【図３】図２の梱包材の側面図である。
【図４】前記梱包材の組み立て完成状態を示す斜視図である。
【図５】図４の梱包材の側面図である。
【図６】前記梱包材を外箱に入れた状態の斜視図である。
【図７】図６の梱包材のＸ１−Ｘ１線断面図である。
【図８】前記外箱の蓋を少し閉じた状態の斜視図である。
【図９】図８の梱包材のＸ２−Ｘ２線断面図である。
【図１０】別の実施形態の展開状態の平面図である。
【図１１】図１０（ａ）の段ボール材を組み立てた梱包材の斜視図である。
【図１２】従来例において、収納品を収納した状態の斜視図である。
【図１３】図１２のＸ３−Ｘ３線断面図である。
【図１４】図１２のＸ４−Ｘ４線断面図である。
【図１５】従来例における梱包材の斜視図である。
【図１６】従来例および本発明の実施形態で用いる外箱の斜視図である。
【図１７】別の従来例を説明する斜視図である。
【符号の説明】
【００３４】
１、１Ｂ、１Ｃ、１Ｄ    段ボール材
１０、１０Ｂ  梱包材
１１  左端縁（左端縁の延長部分）
１２  第１の谷折り部（第１の谷折り部の延長部分）
１３  中間谷折り部（第３の谷折り部）
１４  中間山折り部
１５  中間谷折り部
１６  第２の谷折り部
１７  右端縁
１８、１９  延長部分中間谷折り部
２０  延長部分右端縁
３０、３０Ｂ  緩衝部材
Ａ１、Ａ２  上側空間
Ｂ  下側空間
Ｃ  第４の空間
Ｅ，Ｅ１，Ｅ２，Ｅ３  延長部分
Ｋ１  第１の切り込み部，第１の脚部材
Ｋ２  第２の切り込み部，第２の脚部材
Ｋ３  第３の切り込み部，第３の脚部材
Ｋ４  舌片、脚補助部材
Ｋａ  突起
Ｒ１  第１の領域、左側の縦壁部材
Ｒ５  第５の領域、中間底板部材
Ｒ６  第６の領域、右側の縦壁部材
Ｒ７  第１の延長領域
Ｒ８  第２の延長領域
Ｒ９  第３の延長領域
Ｒ１０  第４の延長領域
Ｒ１１  第５の延長領域、右端の平板領域、縦壁補助部材
【図１】
0005061759.tif 000002
【図２】
0005061759.tif 000003
【図３】
0005061759.tif 000004
【図４】
0005061759.tif 000005
【図５】
0005061759.tif 000006
【図６】
0005061759.tif 000007
【図７】
0005061759.tif 000008
【図８】
0005061759.tif 000009
【図９】
0005061759.tif 000010
【図１０】
0005061759.tif 000011
【図１１】
0005061759.tif 000012
【図１２】
0005061759.tif 000013
【図１３】
0005061759.tif 000014
【図１４】
0005061759.tif 000015
【図１５】
0005061759.tif 000016
【図１６】
0005061759.tif 000017
【図１７】
0005061759.tif 000018